(57)【要約】【課題】  オプション部材を横連結杆に強固に、しかも任意の位置に取り付けることができるとともに、横連結杆にねじ孔等を設ける必要がなく、構造が簡単なオプション部材の取付構造を提供する。【解決手段】オプション部材である上部サッシュ２２に設けた後方を向く基片２２ａを、上段の横連結杆１５における水平の下片３１と、取付部材３６におけるほぼ水平の下片４１との間に挾み、横連結杆１５の起立片３２の後方を通って、下片の４１後端から起立する取付部材３６における起立片４２の上端に、横連結杆１５の起立片３２の上方を通って、横連結杆１５内に突入する前方を向く上片４３を連設し、この上片４３に、先端が横連結杆１５における下片３１と起立片３２との内角に当接するように、後斜め下方を向く締め付け部材３７を設ける。  【選択図】  図３
2006320514.tif 000002
【特許請求の範囲】
【請求項１】
左右１対の固定支柱間に架設された横連結杆に、オプション部材を取り付けるオプション部材の取付構造において、
前記横連結杆の下部に、後方を向く水平片と、該水平片の後端より起立する起立片とを設け、前記オプション部材に設けた後方を向く取付片を、前記横連結杆における水平片の下面と、取付部材におけるほぼ水平の下片との間に挾み、前記横連結杆の起立片の後方を通って、前記下片の後端から起立する前記取付部材における起立片の上端に、前記横連結杆の起立片の上方を通って横連結杆内に突入する前方を向く上片を連設し、この上片に、先端が横連結杆における水平片と起立片との内角に当接するように、後斜め下方を向く締め付け部材を設けたことを特徴とするオプション部材の取付構造。
【請求項２】
オプション部材における取付片の後端に、上向片を設け、この上向片を、横連結杆における起立片と、取付部材における起立片との間に挾着したことを特徴とする請求項１記載のオプション部材の取付構造。
【請求項３】
取付部材における上片を、前方に向かって下向き傾斜させることにより、上片と締め付け部材とが、直角に交わるようにしたことを特徴とする請求項１または２記載のオプション部材の取付構造。
【請求項４】
締め付け部材を、取付部材における上片に設けたねじ孔に螺合するボルトとしたことを特徴とする請求項１〜３のいずれかに記載のオプション部材の取付構造。
【請求項５】
オプション部材を、取付部材の下片より前方に突出する取付片の前部より、前後方向に互いに離間するようにして垂下する前後１対の垂下片により、横連結杆の下方に配設したボードの上端部を前後から挾んで保持する上部サッシュとしたことを特徴とする請求項１〜４のいずれかに記載のオプション部材の取付構造。
【請求項６】
オプション部材を、取付部材の下片より前方に突出する取付片の前部より垂下するネームプレート保持部の前面に、ネームプレートを保持しうるようにした名札差しとしたことを特徴とする請求項１〜４のいずれかに記載のオプション部材の取付構造。
【発明の詳細な説明】
【技術分野】
【０００１】
本発明は、オプション部材の取付構造に関し、特に、スーパーマーケットやコンビニエンスストア等の商品売り場に設置される商品陳列棚や物品棚の横連結杆に、商品表示板やバックボード等のオプション部材を取り付ける取付構造に関する。
【背景技術】
【０００２】
従来、商品陳列棚や物品棚では、標準の棚以外に、例えば棚板を載置した上下の横連結杆の間に、バックボードを取り付けたり(例えば、特許文献１参照)、横連結杆に載置物落下防止用板を取り付けたり(例えば、特許文献２参照)、または商品表示板等を取り付けたりする手段が設けられることがある。
【０００３】
例えば、特許文献１に記載されているバックボードの取り付けでは、上下に対向する１対の横連結杆に、サッシュを、取付ボルト(タッピングビス)をもって締着する構造をとっている。また、特許文献２に記載されている載置物落下防止用板の取り付けも、載置物落下防止用板を、横連結杆の前面に、取付ボルトをもって締着する構造をとっている。したがって、特許文献１および特許文献２のいずれの取付構造も、横連結杆に取付ボルトを螺合するためのねじ孔または下孔を穿設する必要がある。
【特許文献１】特開２００３−２５９９５０号公報
【特許文献２】実開昭６０−１０３３４９号公報
【発明の開示】
【発明が解決しようとする課題】
【０００４】
上述したように、特許文献１および２に記載されているものでは、横連結杆に取付ボルトを螺合するねじ孔等を穿設する必要があり、それを一度穿設すると、オプション部材は、その横幅が小さい場合にも、取付位置が上記ねじ孔等の位置に制限され、任意の位置に取り付けることができない。
また、取付ボルトを取り付ける位置および数も自由に増やすことができないので、自由度がなく、必要とされる強度も十分に得られないこともある。
さらに、反対に、オプション部材を取り付けていないときには、外部にねじ孔等が露呈し、体裁が悪い。
【０００５】
本発明は、従来の技術が有する上記のような問題点に鑑み、オプション部材を横連結杆に強固に、しかも左右方向における取付位置の制限を無くして、任意の位置に取り付けることができ、しかも、横連結杆にオプション部材を取り付けるのに使用するねじ孔等を設ける必要がなく、オプション部材を取り付けていないときの美観を向上させることができるようにした、構造が簡単なオプション部材の取付構造を提供することを目的としている。
【課題を解決するための手段】
【０００６】
本発明によると、上記課題は、次のようにして解決される。
（１）左右１対の固定支柱間に架設された横連結杆に、オプション部材を取り付けるオプション部材の取付構造において、前記横連結杆の下部に、後方を向く水平片と、該水平片の後端より起立する起立片とを設け、前記オプション部材に設けた後方を向く取付片を、前記横連結杆における水平片の下面と、取付部材におけるほぼ水平の下片との間に挾み、前記横連結杆の起立片の後方を通って、前記下片の後端から起立する前記取付部材における起立片の上端に、前記横連結杆の起立片の上方を通って横連結杆内に突入する前方を向く上片を連設し、この上片に、先端が横連結杆における水平片と起立片との内角に当接するように、後斜め下方を向く締め付け部材を設ける。
【０００７】
（２）上記(１)項において、オプション部材における取付片の後端に、上向片を設け、この上向片を、横連結杆における起立片と、取付部材における起立片との間に挾着する。
【０００８】
（３）上記(１)または(２)項において、取付部材における上片を、前方に向かって下向き傾斜させることにより、上片と締め付け部材とが、直角に交わるようにする。
【０００９】
（４）上記(１)〜(３)項のいずれかにおいて、締め付け部材を、取付部材における上片に設けたねじ孔に螺合するボルトとする。
【００１０】
（５）上記(１)〜(４)項のいずれかにおいて、オプション部材を、取付部材の下片より前方に突出する取付片の前部より、前後方向に互いに離間するようにして垂下する前後１対の垂下片により、横連結杆の下方に配設したボードの上端部を前後から挾んで保持する上部サッシュとする。
【００１１】
（６）上記(１)〜(４)項のいずれかにおいて、オプション部材を、取付部材の下片より前方に突出する取付片の前部より垂下するネームプレート保持部の前面に、ネームプレートを保持しうるようにした名札差しとする。
【発明の効果】
【００１２】
本発明によると、次のような効果を奏することができる。
（ａ）請求項１記載の発明によると、オプション部材の取付片を、横連結杆における水平片の下面と、取付部材における下片との間に挾んで、締め付け部材を、その先端が横連結杆における水平片と起立片との内角に当接するようにして、締め付けるだけで、オプション部材を、横連結杆に、左右方向の任意の位置で、簡単かつ強固に締着することができる。
また、締め付け部材の先端を、横連結杆における水平片と起立片との内角に当接させることにより、取付部材は、横連結杆に対して、前後方向に自然に位置決めされる。
【００１３】
さらに、横連結杆には、ねじ孔等を設ける必要がなく、左右方向の取付位置がねじ孔等の位置によって制限されることがなく、取付位置の自由度が高い。しかも、オプション部材を取り外した後には、横連結杆にねじ孔等が設けられていないので、美観が向上する。取付部材および締め付け部材の数も、その状況に応じて自由に増減することができるので、常に最適な強度でオプション部材を横連結杆に取り付けることができ、取付状態が安定する。
【００１４】
（ｂ）請求項２記載の発明によると、オプション部材における取付片と上向片との内角を、横連結杆における水平片と起立片との外角に当接させることにより、横連結杆に対するオプション部材の前後方向の位置決めが簡単かつ確実になされるとともに、オプション部材の上向片が、横連結杆における起立片と、取付部材における起立片との間に挾着されることにより、オプション部材の前後方向のがたつきや、前方への脱落が防止される。
【００１５】
（ｃ）請求項３記載の発明によると、取付部材における上片と締め付け部材とが、直角に交わるので、締め付け部材を上片に取り付けるためのねじ孔等を、上片に簡単に加工することができるとともに、締め付け部材による締め付け力が、上片に確実に伝達される。
【００１６】
（ｄ）請求項４記載の発明によると、締め付け部材を、汎用性の高いボルトとすることにより、コストを低減させて安価に提供することができる。また、ボルトを用いることによって、オプション部材を、横連結杆と取付部材との間に、簡単かつ強固に締着することができる。
【００１７】
（ｅ）請求項５記載の発明によると、従来は横連結杆にねじ孔または下孔を穿設して、ねじ止めしていた上部サッシュを、横連結杆にねじ孔等を穿設することなく、横連結杆における左右方向の任意の位置に、簡単かつ確実に取り付けることができる。
【００１８】
（ｆ）請求項６記載の発明によると、従来は横連結杆にねじ孔または下孔を穿設して、ねじ止めしていた名札差しを、横連結杆にねじ孔等を穿設することなく、横連結杆における左右方向の任意の位置に、簡単かつ確実に取り付けることができる。
【発明を実施するための最良の形態】
【００１９】
以下、本発明の実施形態を、図面に基づいて説明する。
図１および図２は、本発明の一実施形態を備える商品陳列棚を示す。図３〜図５は、その各部の詳細を示す。
【００２０】
図１および図２に示すように、この商品陳列棚(10)は、左右１対の前側支柱(11)(11)と、左右１対の後側支柱(12)(12)と、前側支柱(11)と後側支柱(12)との上端部同士、中間部同士、および下端部同士をそれぞれを連結する左右１対ずつの前後横連結杆(13)(13)と、左右の後側支柱(12)(12)の上端部同士、中間部同士、および下端部同士をそれぞれを連結する後側左右横連結杆(14)と、左右の前側支柱(11)(11)の上端部同士、中間部同士、および下端部同士をそれぞれを連結する前側左右横連結杆(15)と、最上段の前後横連結杆(13)(13)，後側左右横連結杆(14)，および前側左右横連結杆(15)上に載置された水平の天板(16)と、中段および最下段の前後横連結杆(13)(13)，後側左右横連結杆(14)，および前側左右横連結杆(15)上に載置された水平の棚板(17)(17)とを備えている。
【００２１】
この商品陳列棚(10)の高さは、ほぼ９０センチである。天板(16)の上に、幾つかの商品を載置して展示し、天板(16)上に載置しきれない残りの商品は、棚板(17)(17)上に載置して収容しておくことができるようになっている。また、上段の前側左右横連結杆(15)と中段の前側左右横連結杆(15)との間には、その展示中の商品名や広告等を描いたボード(９)が、取り外し可能に取り付けられている。なお、図２においては、ボード(９)は一点鎖線で示してある。
【００２２】
左右の前後横連結杆(13)と後側左右横連結杆(14)と前側左右横連結杆(15)の各長手方向両端部分には、この各両端部分を各支柱(11)(11)(12)(12)に係合させるための連結金具(18)がスポット溶接により固着されている。連結金具(18)には、図２および図４に示すように、２個の下向き鉤状の係止フック(19)が、上下方向に並べて設けられている。
【００２３】
各支柱(11)(11)(12)(12)には、左右の前後横連結杆(13)と後側左右横連結杆(14)と前側左右横連結杆(15)の、各連結金具(18)が取り付けられる面に、図２に示すように、逆八の字形に傾斜した左右２個ずつの多数の係合孔(20)が、上下方向に所定間隔を隔てて設けられている。
【００２４】
係合孔(20)には、この係合孔(20)の上部において、係止フック(19)を挿入し、次いで連結金具(18)を、各連結杆(13)(14)(15)とともに、下方に移動し、係止フック(19)の下向き鉤状部を、傾斜している係合孔(20)の内面に食い込ませることにより、係止フック(19)と係合孔(20)との間の隙間が解消された状態で、係止フック(19)の下向き鉤状部が、強く係合されている。これにより、各支柱(11)(11)(12)(12)と各連結杆(13)(14)(15)とは、楔作用により、互いに強固に結合されている。
【００２５】
中段の前側左右横連結杆(15)(以下、これを「前側左右横連結杆Ｃ(15)」という)には、オプション部材としての断面上向きコ字形の下部サッシュ(21)が取り付けられ、上段の前側左右横連結杆(15)(以下、これを「前側左右横連結杆Ｕ(15)」という)には、同じくオプション部材としての上部サッシュ(22)が取り付けられている。
【００２６】
前側左右横連結杆Ｃ(15)は、図３に示すように、上下方向を向く前片(23)と、該前片(23)の下端より後方に向かってほぼ直角に折り曲げられた水平の下片(24)と、該下片(24)の後端より上方に向かってほぼ直角に折り曲げられた起立片(25)と、前片(23)の上端より後方に向かってほぼ直角に折り曲げられ、かつ、後部に下向きの段部(26)が形成された上片(27)と、該上片(27)の後端より下方に向かってほぼ直角に折り曲げられた垂下片(28)とを一体に有し、起立片(25)と垂下片(28)との間を開口させて、断面ほぼＣ字状に形成されている。
【００２７】
図３に示すように、段部(26)には、棚板(17)の前端部が載置され、段部(26)より前方の上片(27)上には、下部サッシュ(21)が、前側左右横連結杆Ｃ(15)のほぼ全長に亘って載置されている。
下部サッシュ(21)は、前後方向を向く水平の基片(21a)の前部に、後方のものを高寸とした前後１対の起立片(21b)(21c)が設けられ、かつ基片(21a)の後端に垂下片(21d)が設けられたものよりなっている。垂下片(21d)を、段部(26)の前壁と、棚板(17)の前端面との間に挟み込むことにより、下部サッシュ(21)は、起立片(21b)(21c)が起立状態を保ち、かつ前後方向の移動が阻止された状態で、前側左右横連結杆Ｃ(15)上に載置されている。
【００２８】
下部サッシュ(21)における前方の起立片(21b)の前面は、前側左右横連結杆Ｃ(15)の前片(23)の前面とほぼ整合し、前後の起立片(21b)(21c)間には、上方に向かって開口するレール溝部(29)が形成されている。
【００２９】
前側左右横連結杆Ｕ(15)は、図３に示すように、前側左右横連結杆Ｃ(15)と同様に、上下方向を向く前片(30)と、該前片(30)の下端より後方に向かってほぼ直角に折り曲げられた水平の下片(水平片)(31)と、該下片(31)の後端より上方に向かってほぼ直角に折り曲げられた起立片(32)と、前片(30)の上端より後方に向かってほぼ直角に折り曲げられ、かつ、後部に下向きの段部(33)が形成された上片(34)と、該上片(34)の後端より下方に向かってほぼ直角に折り曲げられた垂下片(35)とを一体に有し、起立片(32)と垂下片(35)との間を開口させて、断面ほぼＣ字状に形成されている。
【００３０】
図３に示すように、段部(33)には天板(16)の前端部が載置され、下片(31)の下面には、前側左右横連結杆Ｃ(15)のほぼ全長に亘って、上部サッシュ(22)が、左右１対(または３個以上)の取付部材(36)および締め付け部材(37)をもって、取り外し可能に取り付けられている。
【００３１】
上部サッシュ(22)は、図３、図５、および図６に示すように、前後方向を向く水平の基片(取付片)(22a)の前部に、後方のものの下向き長さを大とした前後１対の垂下片(22b)(22c)が設けられ、かつ基片(21a)の後端に上向片(22d)が設けられたものよりなっている。
【００３２】
上部サッシュ(22)は、上向片(22d)が、前側左右横連結杆Ｕ(15)の起立片(32)の後面に当接するようにして、基片(21a)を前側左右横連結杆Ｕ(15)の下片(31)の下面に当接させたとき、前方の垂下片(22b)の前面が、前側左右横連結杆Ｕ(15)の前片(23)の前面とほぼ整合するようにしてある。
【００３３】
また、前後の垂下片(22b)(22c)間には、下方に向かって開口するレール溝部(38)が形成され、上部サッシュ(22)を、後述するようにして、取付部材(36)と締め付け部材(37)とにより、前側左右横連結杆Ｕ(15)の下面に取り付けたとき、上部サッシュ(22)全体が、下部サッシュ(21)とほぼ上下対称をなし、上部サッシュ(22)のレール溝部(38)と、下部サッシュ(21)のレール溝部(29)とが、上下に対向するようにしてある。
【００３４】
各締め付け部材(37)は、この例では、雄ねじ部(39)の上端にツマミ部(40)を設けた、一般に市販されている汎用の取付ボルトとしてある。
【００３５】
各取付部材(36)は、図３、図５、および図６に示すように、上部サッシュ(22)の基片(22a)を挟んで、前側左右横連結杆Ｕ(15)の下片(31)の下面に対向するように配設される水平の下片(41)と、上部サッシュ(22)の上向片(22d)を挟んで、前側左右横連結杆Ｕ(15)の起立片(32)の後面に対向するようにして、下片(41)の後端より垂直に起立する起立片(42)と、前側左右横連結杆Ｕ(15)の起立片(32)の上方を通って、前側左右横連結杆Ｕ(15)内に突入するように、起立片(42)の上端に連設された前下方を向く上片(43)とを備えている。
【００３６】
上片(43)の中央には、締め付け部材(37)における雄ねじ部(39)が螺合するねじ孔(44)が設けられている。
上片(43)の前方への下向き傾斜角度は、ねじ孔(44)に螺合する締め付け部材(37)が、上片(43)と直角をなして後斜め下方を向き、かつ締め付け部材(37)の先端が、前側左右横連結杆Ｕ(15)における下片(31)と起立片(32)との内角に当接するように定められている。
【００３７】
図６に示すように、上部サッシュ(22)は、その基片(22a)と上向片(22d)との内角が、前側左右横連結杆Ｕ(15)における下片(31)と起立片(32)との外角に係合するように、基片(22a)を下片(31)の下面に、また上向片(22d)を起立片(32)の後面にそれぞれ密接させた状態で、それらの左右両側部の後方より、ほぼ前向きコ字状とした左右１対の取付部材(36)を嵌合し、各取付部材(36)における上片(43)のねじ孔(44)に、締め付け部材(37)の雄ねじ部(39)を螺合して、締め付け、雄ねじ部(39)の下端を、前側左右横連結杆Ｕ(15)における下片(31)と起立片(32)との内角に当接させることによって、基片(22a)が、前側左右横連結杆Ｕ(15)の下片(31)と取付部材(36)の下片(41)との間に、また上向片(22d)が、前側左右横連結杆Ｕ(15)の起立片(32)と取付部材(36)の起立片(42)との間にそれぞれ挾着されて、前側左右横連結杆Ｕ(15)の下面に、簡単かつ強固に取り付けられる。
【００３８】
また、締め付け部材(37)の雄ねじ部(39)の先端を、前側左右横連結杆Ｕ(15)における下片(31)と起立片(32)との内角に当接させることにより、取付部材(36)は、前側左右横連結杆Ｕ(15)に対して、前後方向に自然に位置決めされる。
【００３９】
さらに、上部サッシュ(22)における基片(22a)の後端に設けた上向片(22d)を、前側左右横連結杆Ｕ(15)の起立片(32)と取付部材(36)の起立片(42)との間に挾着したことにより、上部サッシュ(22)の前後方向のがたつきや、前方への脱落が防止される。
【００４０】
上部サッシュ(22)を前側左右横連結杆Ｕ(15)から取り外すには、各締め付け部材(37)を緩めて、左右の取付部材(36)を前側左右横連結杆Ｕ(15)から外すだけでよい。
【００４１】
なお、取付部材(36)および締め付け部材(37)は、この例では左右２箇所に設けているが、その数はオプション部材となる上部サッシュ(22)の長さ等に基づいて、自由に選択することができる。
【００４２】
また、図２、図５、および図６に示すように、各取付部材(36)の下片(41)の上面に、位置決め突起(45)を設け、それに対応する上部サッシュ(22)の下片(31)における予め定めた位置(例えば両側部)に、位置決め孔(46)(46)を設けておき、各取付部材(36)を、図６に示すように、前側左右横連結杆Ｕ(15)と、その下面に密接させた上部サッシュ(22)とに嵌合させたときに、上記各位置決め突起(45)と位置決め孔(46)とを係合させるようにすると、各取付部材(36)の位置決めがさらに簡単になる。
なお、各取付部材(36)の下片(41)に位置決め孔(46)を設け、それに対応する上部サッシュ(22)の下片(31)における予め定めた位置に、位置決め突起(45)を設けたり、または位置決め突起(45)や位置決め孔(46)を省略して実施してもよい。
【００４３】
このように構成された商品陳列棚(10)では、上部サッシュ(22)と下部サッシュ(21)を使用して、上記ボード(９)を着脱自在に取り付けることができる。その操作を図３を用いて説明すると、まず、一点鎖線で示すように、ボード(９)を若干後傾させて、その上端部を上部サッシュ(22)のレール溝部(38)内に差し込み、続いて、ボード(９)を垂直とした後、若干下降させて、その下端を、下部サッシュ(21)のレール溝部(29)内に嵌合する。
この装着後の状態を、図３に実線で示してある。この状態では、ボード(９)の下端部は、下部サッシュ(21)のレール溝部(29)に嵌合されて、受支され、ボード(９)の上端部は、上部サッシュ(22)のレール溝部(38)に、上方に若干の空間を残して嵌合され、前後方向の傾倒が阻止されている。
【００４４】
したがって、このように構成された商品陳列棚(10)は、例えばボード(９)を取り付けて使用したいときには、オプション部材である上部サッシュ(22)を前側左右横連結杆Ｕ(15)に装着し、かつオプション部材である下部サッシュ(21)を前側左右横連結杆Ｃ(15)に装着し、上部サッシュ(22)と下部サッシュ(21)とにより、ボード(９)を保持して使用することができる。しかも、上部サッシュ(22)を取り付けるために使用される取付部材(36)は、前側左右横連結杆Ｕ(15)側にねじ孔等を設ける必要がなく、しかも任意の位置に、その必要とする数だけ取り付けることができ、取り付けの安定性が図れる。
また、下部サッシュ(21)は、前側左右横連結杆Ｃ(15)上に載置するだけでよい。
【００４５】
反対に、ボード(９)を使用しないときには、上部サッシュ(22)を前側左右横連結杆Ｕ(15)から簡単に取り外すことができるとともに、前側左右横連結杆Ｕ(15)には、ねじ孔等を設けていないので、上部サッシュ(22)の取り外し後に、美観が損なわれることもない。
【００４６】
なお、この例では、上部サッシュ(22)を、オプション部材としたが、このオプション部材は、これに限るものではない。
【００４７】
図７および図８は、前側左右横連結杆Ｕ(15)に、上部サッシュに代えて、名札差し(47)を、オプション部材として装着した例を示す。この例において、商品陳列棚(10)自体のの構造は、図１〜図６に示したものと同一であり、それらについては、同一の部材を同一の符号をもって図示するに止め、詳細な説明は省略する。
【００４８】
この例では、オプション部材である名札差し(47)を、前面開口部に、ネームプレート(48)をほぼ垂直状態で保持しうるようにしたネームプレート保持部(49)の上端に、前後長を前側左右横連結杆Ｕ(15)における下片(31)の前後長と同一とした後方を向く取付片(50)を連設したものにより形成し、この取付片(50)を、前側左右横連結杆Ｕ(15)における下片(31)の下面と、上述のものと同一の取付部材(36)における下片(41)の上面との間に挟み、かつ取付部材(36)における起立片(42)の前面を、前後長を前側左右横連結杆Ｕ(15)における起立片(32)の後面に当接させて、締め付け部材(37)を締め付けることにより、名札差し(47)を、そのネームプレート保持部(49)が前側左右横連結杆Ｕ(15)の前部下面より垂下するようにして、前側左右横連結杆Ｕ(15)の下面に取り付けてある。
【００４９】
名札差し(47)の左右長を、前側左右横連結杆Ｕ(15)の左右長より小としておくことにより、締め付け部材(37)を緩めて、名札差し(47)を、取付部材(36)とともに、前側左右横連結杆Ｕ(15)の左右方向に摺動させ、任意の位置で、締め付け部材(37)を再度締め付けて、名札差し(47)を前側左右横連結杆Ｕ(15)の左右方向の任意の位置で前側左右横連結杆Ｕ(15)に固定することができる。
【００５０】
また、取付片(50)の前後長を、前側左右横連結杆Ｕ(15)における下片(31)の前後長と同一としてあるので、取付片(50)の後端を取付部材(36)における起立片(42)の前面に当接させて、締め付け部材(37)を締め付けることにより、名札差し(47)の前面を、前側左右横連結杆Ｕ(15)の前面に簡単に整合させることができる。
【００５１】
なお、取付片(50)の後端に、図１〜図６に示す例と同様の上向片(図示略)を設け、これを、前側左右横連結杆Ｕ(15)の起立片(32)と取付部材(36)の起立片(42)との間に挾着させてもよい。
【図面の簡単な説明】
【００５２】
【図１】本発明のオプション部材取付構造を備える商品陳列棚の一実施形態を示す斜視図である。
【図２】同じく、ボードを取り外した状態で示す、商品陳列棚の正面図である。
【図３】図２のII-II線拡大縦断側面図である。
【図４】図２における連結金具と支柱との連結構造を示す拡大縦断側面である。
【図５】上部サッシュと取付部材との分解平面図である。
【図６】取付部材を、最上段の前側左右横連結杆に装着する前の状態を示す、要部の拡大縦断側面図である。
【図７】本発明の別の実施形態を備える商品陳列棚の斜視図である。
【図８】図７のVIII−VIII線拡大縦断側面図である。
【符号の説明】
【００５３】
(９)ボード
(10)商品陳列棚
(11)前側支柱
(12)後側支柱
(13)前後横連結杆
(14)後側左右横連結杆
(15)前側左右横連結杆
(16)天板
(17)棚板
(18)連結金具
(19)係止フック
(20)係合孔
(21)下部サッシュ
(21a)基片
(21b)(21c)起立片
(21d)垂下片
(22)上部サッシュ
(22a)基片(取付片)
(22b)(22c)垂下片
(22d)上向片
(23)前片
(24)下片
(25)起立片
(26)段部
(27)上片
(28)垂下片
(29)レール溝部
(30)前片
(31)下片(水平片)
(32)起立片
(33)段部
(34)上片
(35)垂下片
(36)取付部材
(37)締め付け部材
(38)レール溝部
(39)雄ねじ部
(40)ツマミ部
(41)下片
(42)起立片
(43)上片
(44)ねじ孔
(45)位置決め突起
(46)位置決め孔
(47)名札差し
(48)ネームプレート
(49)ネームプレート保持部
(50)取付片
【図１】
2006320514.tif 000003
【図２】
2006320514.tif 000004
【図３】
2006320514.tif 000005
【図４】
2006320514.tif 000006
【図５】
2006320514.tif 000007
【図６】
2006320514.tif 000008
【図７】
2006320514.tif 000009
【図８】
2006320514.tif 000010